(57)【要約】【課題】物体の光沢に関する評価値を求める光沢評価装置において、主観的な光沢度と忠実に対応の取れた評価値を求めることができるようにする。【解決手段】線形変換部７２は、鏡面光沢度変換部５６で得られた正反射光Ｌ３に基づく鏡面光沢度ＧＳと主観的な光沢度との関係が線形になるように鏡面光沢度ＧＳを光沢指標値ＧＵに変換する。線形変換部７４は、色変換部６６で得られた拡散反射光Ｌ４に基づく３刺激値Ｘ，Ｙ，Ｚを明度Ｌ、彩度Ｃ、色相ｈに変換する。光沢評価値取得部７８は、光沢指標値ＧＵが大きいほど光沢評価値ＶＧが大きくなり、明度Ｌが大きいほど光沢評価値ＶＧが小さくなり、彩度Ｃが大きいほど光沢評価値ＶＧが大きくなるように、それぞれ所定の重み係数を乗じ、これら重み係数が乗じられた値の線形和を取ることで、被測定物の色の影響を低減可能な光沢評価値ＶＧを求める。【選択図】        図３
2004317131.tif 000002
【特許請求の範囲】
【請求項１】
物体から得られる正反射光と拡散反射光とに基づいて前記物体の光沢に関する評価値を求める光沢評価方法であって、
前記正反射光に基づいて得られる光沢指標値と、前記拡散反射光に基づいて得られる明度に関する指標値と、前記拡散反射光に基づいて得られる彩度に関する指標値とを参照して、前記物体の光沢に関する評価値を求める
ことを特徴とする光沢評価方法。
【請求項２】
物体から得られる正反射光と拡散反射光とに基づいて前記物体の光沢に関する評価値を求める光沢評価方法であって、
前記正反射光に基づいて得られる光沢指標値と、前記拡散反射光に基づいて得られる明度に関する指標値と、前記拡散反射光から得られる明度の前記評価値に与える影響が小さくなるようにするための修正要素とを参照して、前記物体の光沢に関する評価値を求める
ことを特徴とする光沢評価方法。
【請求項３】
物体から得られる正反射光と拡散反射光とに基づいて前記物体の光沢に関する評価値を求める光沢評価装置であって、
前記正反射光に基づいて得られる光沢指標値と、前記拡散反射光に基づいて得られる明度に関する指標値と、前記拡散反射光に基づいて得られる彩度に関する指標値とを参照して、前記物体の光沢に関する評価値を求める光沢評価値取得部を備える
ことを特徴とする光沢評価装置。
【請求項４】
前記光沢評価値取得部は、前記正反射光に基づいて得られる光沢指標値と前記拡散反射光に基づいて得られる明度に関する指標値とを参照して前記物体の光沢に関する評価値を求め、この求めた評価値に対して、前記拡散反射光に基づいて得られる彩度に関する指標値を参照して前記物体の色の影響を低減する方向に補正を加える
ことを特徴とする請求項３に記載の光沢評価装置。
【請求項５】
前記光沢評価値取得部は、前記光沢指標値が大きいほど前記物体の光沢に関する評価値が大きくなるように、かつ、前記明度が大きいほど前記物体の光沢に関する評価値が小さくなるように、かつ、前記彩度が大きいほど前記物体の光沢に関する評価値が大きくなるように、前記光沢指標値、前記明度に関する指標値、および前記彩度に関する指標値のそれぞれに対して所定の重み係数を乗じる重付け演算部と、当該重付け演算部により得られた値の線形和を取ることで前記物体の色の影響が低減された前記物体の光沢に関する評価値を求める加算部とを有する
ことを特徴とする請求項４に記載の光沢評価装置。
【請求項６】
前記加算部は、前記重付け演算部により得られる重付け処理の結果値を使用して、前記正反射光に基づいて得られる前記光沢指標値に対して前記拡散反射光に基づいて得られる前記明度に関する指標値で前記物体の明度の影響を低減する方向に補正を加えるとともに、この補正された指標値に対してさらに、前記拡散反射光に基づいて得られる前記彩度に関する指標値で前記物体の色の影響を低減する方向に補正を加える
ことを特徴とする請求項５に記載の光沢評価装置。
【請求項７】
前記重付け演算部は、前記所定の重み係数として、それぞれの絶対値が、前記光沢指標値についての重付け係数は前記明度に関する指標値および前記彩度に関する指標値のそれぞれについての重付け係数よりも大きく、かつ前記明度に関する指標値についての重付け係数は前記彩度に関する指標値についての重付け係数よりも大きいものを用いる
ことを特徴とする請求項６に記載の光沢評価装置。
【請求項８】
物体から得られる正反射光と拡散反射光とに基づいて前記物体の光沢に関する評価値を求める光沢評価装置であって、
前記正反射光に基づいて得られる光沢指標値と、前記拡散反射光に基づいて得られる明度に関する指標値と、前記拡散反射光から得られる明度の前記評価値に与える影響が小さくなるようにするための修正要素とを参照して、前記物体の光沢に関する評価値を求める光沢評価値取得部を備える
ことを特徴とする光沢評価装置。
【請求項９】
前記光沢評価値取得部は、前記正反射光に基づいて前記修正要素を求める修正要素演算部と、前記正反射光に基づいて得られる光沢指標値と前記拡散反射光に基づいて得られる明度に関する指標値とを参照して得られる前記物体の光沢に関する評価値を求める演算部とを有し、当該演算部が求めた評価値に対して、前記修正要素演算部が求めた修正要素を参照して前記物体の光沢範囲の影響を低減する方向に補正を加える
ことを特徴とする請求項８に記載の光沢評価装置。
【請求項１０】
前記光沢評価値取得部は、前記光沢指標値が大きいほど前記物体の光沢に関する評価値が大きくなるように、かつ、前記明度が大きいほど前記物体の光沢に関する評価値が小さくなるように、かつ、前記光沢指標値が大きいほど前記明度の前記評価値に与える影響が小さくなるように、前記光沢指標値と前記明度に関する指標値のそれぞれに対して所定の重み係数を乗じる重付け演算部と、当該重付け演算部により得られた値の線形和を取ることで前記物体の光沢範囲の影響が低減された前記物体の光沢に関する評価値を求める加算部とを有する
ことを特徴とする請求項８に記載の光沢評価装置。
【請求項１１】
前記光沢評価値取得部は、前記光沢指標値が大きいほど前記明度の前記評価値に与える影響が小さくなるように所定の重み係数を乗じ所定の重み係数との差を取ることで前記拡散反射光に基づく前記修正要素を求める修正要素演算部と、前記光沢指標値が大きいほど前記物体の光沢に関する評価値が大きくなるようにする所定の重付け係数を前記光沢指標値に乗じるとともに、前記修正要素演算部により得られた修正要素を前記拡散反射光に基づいて得られる明度に関する指標値に乗じる重付け演算部と、当該重付け演算部により得られた値の線形和を取ることで前記物体の光沢範囲の影響が低減された前記物体の光沢に関する評価値を求める加算部とを有する
ことを特徴とする請求項８に記載の光沢評価装置。
【請求項１２】
前記所定の重み係数として、それぞれの絶対値が、前記光沢指標値についての重付け係数は前記明度に関する指標値に関する指標値についての重付け係数よりも大きく、かつ前記明度に関する指標値についての重付け係数は前記修正要素についての重付け係数よりも大きいものを用いる
ことを特徴とする請求項１０または１１に記載の光沢評価装置。
【請求項１３】
前記物体に投光する光源と、
この投光によって得られる前記物体からの反射光のうちの正反射光を受光する正反射光受光部と、
前記反射光のうちの拡散反射光を受光する拡散反射光受光部と、
前記正反射光受光部により検知された受光信号に基づいて前記光沢指標値を求めるための基礎情報を取得する正反射光基礎情報取得部と、
前記拡散反射光受光部により検知された受光信号に基づいて前記拡散反射光に基づいて得られる指標値を求めるための基礎情報を取得する拡散反射光基礎情報取得部と
を備えたことを特徴とする請求項３から１２のうちの何れか１項に記載の光沢評価装置。
【発明の詳細な説明】
【０００１】
【発明の属する技術分野】
本発明は、物体の光沢に関する評価値を求める光沢評価方法および装置に関する。たとえば、カラープリンタなどの画像形成装置により形成された画像および画像印字媒体の光沢について、主観的な光沢度と対応の取れた評価値を求めることができる光沢評価方法および装置に関する。
【０００２】
【従来の技術】
カラープリンタなどの画像形成装置により形成された画像および画像印字媒体の光沢は、ドキュメントの高級感や文字の読み易さなどに強く影響する重要な画質因子であり、品質管理項目の１つとして用いられている。
【０００３】
従来、物体表面の光沢を測定する方法としては、光を表面に投射した正反射方向で反射光量を測定して光沢度を求める鏡面光沢度測定方法（ＪＩＳ−Ｚ８７４１−１８９３）が広く知られている。
【０００４】
この鏡面光沢度測定方法は、被測定物に入射角θで平行光を入射し、被測定物からの正反射光を規定された受光開き角で検出し、検出した反射光束を標準面の反射光束で規準化したものを鏡面光沢度とする方法である。入射角θの違いにより、２０°，４５°，６０°，７５°，８５°の測定方法が規定されており、一般的には、高光沢試料の測定には入射角が小さい方法を、低光沢試料の測定には入射角が大きい方法を用いることが好ましいといわれている。中でも、入射角θを６０°とした６０°鏡面光沢度測定が広く用いられている。
【０００５】
しかし、鏡面光沢度は正反射方向の反射光束の大きさを示す指標であって、必ずしも人間の見た目の光沢度に一致するとは言えない。このような場合、定量的な品質管理が行なわれているとは言えず、品質上で問題が生じてくる。そこで、このような問題を解決するために、前述の鏡面光沢度測定方法に代わる様々な評価手法が提案されている（たとえば特許文献１〜４を参照）。
【０００６】
【特許文献１】
特開平５−３２２７６４号公報
【特許文献２】
特開平１１−３０４７０３号公報
【特許文献３】
特開２００１−４５４１号公報
【特許文献４】
特開２００１−２７６０４号公報
【０００７】
たとえば特許文献１には、被測定物にレーザ光とスポット光を照射し、それぞれの正反射光から表面粗さとシボ深さを求め、両者のデータから基準マップを参照して人間の官能評価に一致する光沢度を求める方法が開示されている。
【０００８】
また、特許文献２には、受光器を入射角と等しく取った反射角上を含む複数箇所に配置し、各受光器での測定値および各受光器の反射角上の受光器との間の角度に基づいて人間の目視感と一致する光沢度を求める方法が開示されている。
【０００９】
また、特許文献３には、被測定物の表面から正反射した光を受光する正反射光受光器と被測定物の表面から拡散反射した光を受光する拡散反射光受光器とを具有し、正反射光と拡散反射光との比により被測定物の光沢を検知する方法が開示されている。
【００１０】
さらに、特許文献４には、正反射光源と乱反射光源とを順次点灯させることにより測定受光用素子で正反射光強度および乱反射光強度を測定し、正反射光強度と乱反射光強度との比に補正値、比例定数を乗じて、つや値を算出する方法が開示されている。
【００１１】
【発明が解決しようとする課題】
しかしながら、特許文献１に開示された光沢測定方法では、被測定物からの正反射光のみを受光して光沢度を求めているため、カラー画像の光沢を測定する場合に問題が生じる。すなわち、画像の色によって正反射光強度と主観的な光沢度との相関傾向が異なるため、異なる色の光沢を正反射光強度のみで比較すると、見た目との対応が悪くなる。
【００１２】
また、特許文献２〜４に開示された光沢測定方法でも、カラー画像の光沢を正しく測定できない。すなわち、カラー画像は、明度、彩度、および色相といった色の３属性で表現されるものであり、特許文献２〜４でそれぞれ扱う正反射光以外の反射強度、拡散反射光強度および乱反射光強度は、このうち明度に相当するものである。
【００１３】
したがって、特許文献２〜４に開示された光沢測定方法では、拡散反射光成分として明度という１つの光学情報を用いて光沢値を算出していると言えるが、実際には、主観的な光沢度は明度だけでなく彩度の違いでも変化するため、明度が一定で彩度のみ変化したカラー画像の光沢に対しては、得られた光沢値と主観的な光沢度との対応は悪くなる。
【００１４】
また、特許文献３，４に開示された光沢測定方法では、正反射光強度と拡散反射光強度の比、つまり対比光沢を用いて光沢値を算出しているが、正反射光強度が変化するような場合には、単純な正反射光強度と拡散反射光強度との比、もしくは比に重み係数を乗じた値では主観的な光沢度との相関は高くならない。詳しくは後述するが（図７（Ａ）とその説明を参照）、低光沢から高光沢までの幅広い光沢範囲について見れば、被測定物の有する色の影響を受け、算出された光沢指標値は、必ずしも人間の見た目の光沢度に一致しないと言うことが分かった。
【００１５】
本発明は、上記事情に鑑みてなされたものであり、従来の手法よりも一層、主観的な光沢度と対応の取れた評価値を求めることができる光沢評価方法および装置を提供することを目的とする。
【００１６】
より具体的には、被測定物が異なる色を有する場合であっても、主観的な光沢度と対応の取れた評価値を求めることができる光沢評価方法および装置を提供することを第１の目的とする。また、被測定物が低光沢から高光沢までの幅広い光沢範囲を有する場合であっても、主観的な光沢度と対応の取れた評価値を求めることができる光沢評価方法および装置を提供することを第２の目的とする。
【００１７】
【課題を解決するための手段】
すなわち、本発明に係る第１の光沢評価方法は、物体から得られる正反射光と拡散反射光とに基づいて物体の光沢に関する評価値を求める光沢評価方法であって、正反射光に基づいて得られる光沢指標値と、拡散反射光に基づいて得られる明度に関する指標値と、拡散反射光に基づいて得られる彩度に関する指標値とを参照して、物体の光沢に関する評価値を求めることとした。
【００１８】
また、本発明に係る第２の光沢評価方法は、物体から得られる正反射光と拡散反射光とに基づいて物体の光沢に関する評価値を求める光沢評価方法であって、正反射光に基づいて得られる光沢指標値と、拡散反射光に基づいて得られる明度に関する指標値と、拡散反射光から得られる明度の前記評価値に与える影響が小さくなるようにするための修正要素とを参照して、物体の光沢に関する評価値を求めることとした。
【００１９】
本発明に係る第１の光沢評価装置は、上記本発明に係る第１の光沢評価方法を実施するのに好適な装置であって、正反射光に基づいて得られる光沢指標値と、拡散反射光に基づいて得られる明度に関する指標値と、拡散反射光に基づいて得られる彩度に関する指標値とを参照して、物体の光沢に関する評価値を求める光沢評価値取得部を備えるものとした。
【００２０】
この第１の光沢評価装置において、光沢評価値取得部は、正反射光に基づいて得られる光沢指標値と拡散反射光に基づいて得られる明度に関する指標値とを参照して物体の光沢に関する評価値を求め、この求めた評価値に対して、拡散反射光に基づいて得られる彩度に関する指標値を参照して前記物体の色の影響を低減する方向に補正を加えるものとすることが望ましい。
【００２１】
たとえば、光沢評価値取得部は、光沢指標値が大きいほど物体の光沢に関する評価値が大きくなるように、かつ、明度が大きいほど物体の光沢に関する評価値が小さくなるように、かつ、彩度が大きいほど物体の光沢に関する評価値が大きくなるように、光沢指標値、明度に関する指標値、および彩度に関する指標値のそれぞれに対して所定の重み係数を乗じる重付け演算部と、この重付け演算部により得られた値（さらに好ましくは補正項も）の線形和を取ることで物体の色の影響が低減された物体の光沢に関する評価値を求める加算部とを有するものとするのがよい。
【００２２】
なお、線形和は、重付け係数に正負の符号を持たせた重付け演算の結果値の和を取ることに限らず、全ての重付け係数を“正”の値としておき、重付け演算の結果値の和あるいは差を取ることも含む。後述する第２の光沢評価装置における線形和でも同様である。
【００２３】
本発明に係る第２の光沢評価装置は、上記本発明に係る第２の光沢評価方法を実施するのに好適な装置であって、正反射光に基づいて得られる光沢指標値と、拡散反射光に基づいて得られる明度に関する指標値と、拡散反射光から得られる明度の評価値に与える影響が小さくなるようにするための修正要素とを参照して、物体の光沢に関する評価値を求める光沢評価値取得部を備えるものとした。
【００２４】
この第２の光沢評価装置において、光沢評価値取得部は、正反射光に基づいて修正要素を求める修正要素演算部と、正反射光に基づいて得られる光沢指標値と拡散反射光に基づいて得られる明度に関する指標値とを参照して得られる物体の光沢に関する評価値を求める演算部とを有するものとするのがよい。この場合、光沢評価値取得部は、演算部が求めた評価値に対して、修正要素演算部が求めた修正要素を参照して物体の光沢範囲の影響を低減する方向に補正を加えるものとする。
【００２５】
たとえば光沢評価値取得部は、光沢指標値が大きいほど物体の光沢に関する評価値が大きくなるように、かつ、明度が大きいほど物体の光沢に関する評価値が小さくなるように、かつ、光沢指標値が大きいほど明度の評価値に与える影響が小さくなるように、光沢指標値と明度に関する指標値のそれぞれに対して所定の重み係数を乗じる重付け演算部と、この重付け演算部により得られた値（さらに好ましくは補正項も）の線形和を取ることで物体の光沢範囲の影響が低減された物体の光沢に関する評価値を求める加算部とを有するものとするのがよい。
【００２６】
なお、本発明に係る光沢評価方法および装置を、電子計算機（コンピュータ）を用いてソフトウェアで実現するために好適なプログラムあるいはこのプログラムを格納したコンピュータ読取可能な記憶媒体を発明として抽出することもできる。なお、プログラムは、コンピュータ読取り可能な記憶媒体に格納されて提供されてもよいし、有線あるいは無線による通信手段を介して配信されてもよい。
【００２７】
【作用】
本発明に係る上記第１の構成では、拡散反射光強度から得られる彩度の情報を用いて、彩度が大きいほど光沢評価値が大きくなる方向に補正を加えるなど、彩度も参照することで、被測定物の色の影響を低減可能な光沢評価値を求める。
【００２８】
また、本発明に係る上記第２の構成では、光沢指標値に基づいて正反射光から得られる明度の光沢評価値に与える影響が小さくなるようにする修正要素を光沢評価値の取得に取り入れるなど、光沢指標値を参照して拡散反射光から得られる明度の影響を調整することで、被測定物の光沢範囲の影響を低減可能な光沢評価値を求める。
【００２９】
つまり、鏡面光沢度以外で主観的な光沢度に影響を及ぼす拡散反射光強度を測定し、拡散反射光強度から得られる明度や彩度の情報を用いて、被測定物の色や光沢範囲の影響を低減可能な光沢に関する評価値を求めることで、従来の手法よりも一層忠実に、主観的な光沢度と対応の取れた評価値を求める。
【００３０】
【発明の実施の形態】
以下、図面を参照して本発明の実施の形態について詳細に説明する。
【００３１】
＜光沢評価装置の構成＞
図１は、本発明に係る光沢評価装置の全体構成の概略を示す図である。光沢評価装置１は、被測定物３の正反射光強度および拡散反射光強度を測定する図示しない所定形状の本体の先端側に設けられた光学部４、光学部４の動作を制御する光学系制御部５、被測定物３を載置する支持台（ステージ）６、支持台６をＸ（図中の左右）−Ｙ（図中の奥行き）方向に移動させる支持台駆動部７、および光学系制御部５の制御の元で光学部４にて取得される信号に基づいて被測定物３の光沢に関する指標値を求める信号処理部８を備えて構成されている。
【００３２】
支持台６は、光沢評価装置１の図示しない本体に固定されている。支持台駆動部７は、図示しないモータやこのモータを駆動する制御回路などを備えてなり、図示しないプリント基板上に搭載され、本体内の支持台６の近傍に収容されている。この支持台６は、たとえばＸＹステージなどの機構に類する構造を有し、被測定物３を載置したままで、モータの回転によって図中の左右方向（Ｘ方向）や図中の奥行き方向（Ｙ方向）に移動するようになっている。したがって、支持台６の上方向から光学部４にて被測定物３の表面を測定することができる。
【００３３】
支持台６には、光学部４を支持する図示しない支柱の一端が固定されており、この支柱の他端には光学部４が配設されている。そして、この支柱の他端には、さらに図示しない基板保持具が取り付けられており、光学系制御部５および信号処理部８が図示しないプリント基板上に搭載され、本体内の基板保持具にて光学部４の近傍に収容されるようになっている。
【００３４】
光学部４は、被測定物３に照明光を照射する光源部１０と、被測定物３の測定ポイントｚにて反射された反射光を受光する受光部３０とを有している。光源部１０と受光部３０とは、光軸が所定の関係を常に満たすように、本体の先端側に一体化されて収容されている。
【００３５】
受光部３０は、被測定物３にて反射された反射光のうちの正反射光成分Ｌ３を受光する正反射光受光部３０ａと拡散反射光（乱反射光）成分Ｌ４を受光する拡散反射光受光部３０ｂとを有して構成される。光源部１０は、光学系制御部５の制御の元で、所定タイミングで照明光を被測定物３に照射する。このため、光源部１０には、制御信号ＣＮ１，ＣＮ２が光学系制御部５から入力される。光源部１０についても、正反射光成分を正反射光受光部３０ａに受光させるための照明光Ｌ１を発する正反射光光源部１０ａと拡散反射光成分を拡散反射光受光部３０ｂに受光させるための照明光Ｌ２を発する拡散反射光光源部１０ｂとを有して構成される。なお、正反射光光源部１０ａと拡散反射光光源部１０ｂ、また正反射光受光部３０ａと拡散反射光受光部３０ｂは、それぞれ１つの機能部にて兼用する構成とすることも可能であるし、別体の機能部で構成することも可能である。
【００３６】
受光部３０は、正反射光受光部３０ａで検知した受光信号Ｓ１と拡散反射光受光部で検知した受光信号Ｓ２とに基づき所定の信号処理を施して所定の基礎情報（光沢指標値Ｄ１と色彩指標値Ｄ２）を得、信号処理部８に渡す。必要に応じて、受光部３０にて所望の信号処理を施した後、処理済みのデータを基礎情報（それぞれＤ１，Ｄ２）として信号処理部８に渡してもよい。
【００３７】
信号処理部８は、受光部３０により得られた受光信号Ｓ１，Ｓ２あるいは基礎情報Ｄ１，Ｄ２に基づき、主観的な光沢度と対応の取れた評価値を算出する。光学系制御部５は、光学部４の動作と信号処理部８による信号処理とが連動して行なわれるよう制御する。このため、光学系制御部５から信号処理部８には制御信号ＣＮ３が入力されている。
【００３８】
なお、測定中、被測定物３が支持台６に対して移動しないように、支持台６には図示しない保持具によって被測定物３が支持台６へ取付可能になっている。支持台６は、拡散性のある（好ましくは光吸収性の良好な）、たとえば濃度１．５以上の黒紙で覆い、被測定物３を通過してきた照明光Ｌ１，Ｌ２が支持台６で反射して光学部４の各受光部３０ａ，３０ｂに入射することを防止するようにする。黒紙で覆うことに代えて、硬質ＴｉＯ２膜などの反射防止膜がコーティングされたガラス材を支持台６に用いることもできる。
【００３９】
ここで、光の反射を取り扱う場合、様々な扱い方があるが、本実施形態では、以下のように取り扱うこととする。先ず、光の反射には、物体の表面にて反射する光沢に対しての寄与度が大きい成分（表面反射成分）と、物体内部で吸収、散乱を繰り返した後で表面から放射され色（明度および彩度）に対しての寄与度が大きい成分（内部反射成分）とに分類できる。また、反射角度の側面では、反射面において巨視的に見て鏡面反射のような反射の法則に従う成分である正反射成分と、反射面において正反射角以外の方向へ散乱する反射の成分である拡散反射（乱反射とも言われる）成分とに分類できる。
【００４０】
光源から発せられ物体で反射した光を表面反射成分と内部反射成分とに分離する方法はいくつかあるが、人間はこれらを分離して光沢や色を見ていない。また、市販の光沢度計や測色計は受光器の角度を変えることで正反射成分と拡散反射成分に分けて物体からの反射光を受光しており、表面反射成分と内部反射成分という切り分けはしていない。一般的に、正反射成分は表面反射成分の割合が内部反射成分のそれより大きいため光沢に対しての寄与度が大きく、拡散反射成分は表面反射成分の割合が小さいため色（明度および彩度）に対しての寄与度が大きくなる。
【００４１】
そこで、信号処理部８では、ＪＩＳによる鏡面光沢度測定方法と同様に正反射光に基づき求められる光沢指標値と、拡散反射光Ｌ４に基づき求められる色彩指標値とを使用するとともに、光沢指標値に対して、色彩指標値を用いて、被測定物の色や光沢範囲の影響を低減可能な光沢に関する評価値を求めることとする。
【００４２】
このための光学部４の構成としては、正反射光Ｌ３用の照射と受光の光学系は、レンズの焦点距離にスリットをおくことで、ＪＩＳと同様に、平行光の光学系となっている。一方、拡散反射光Ｌ４用の照射と受光の光学系は平行光の光学系でもよいし、それ以外の図示するような光学系でもよい。なお、これら測定の光学系の構成や測定方法については、たとえば鏡面光沢度−測定方法（Ｚ  ８７４１）や特開平８−２９２５８号など参照するとよい。
【００４３】
＜光学部の構成＞
図２は、光学部４の構成例を説明する図である。ここで、図２（Ａ）に示す第１例は、被測定物３の法線のθ方向に光源１２を、法線の−θ方向に正反射光Ｌ３を受光する正反射光受光部３２を、法線方向に拡散反射光Ｌ４を受光する拡散反射光受光部３４を配置した点に特徴を有する。ここで、法線方向とは、被測定物３の測定ポイントｚに向かってその真上の位置である。この構成では、光源１２が、正反射光検出用と拡散反射光検出用の各光源として兼用され、正反射光Ｌ３の検出にはθ度入射−θ度受光系が使用され、拡散反射光Ｌ４の検出にはθ度入射−０度受光系が使用されるようになっている。
【００４４】
すなわち、この第１例の構成は、共通の光源を使用して、正反射光Ｌ３と拡散反射光Ｌ４とを、それぞれ異なる受光部にて検出するものである。光沢評価装置１では、被測定物３の規定された１つの領域から正反射光Ｌ３と拡散反射光Ｌ４を受光する。ここで第１例の構成は、光源が１つの光学系であり、正反射光Ｌ３と拡散反射光Ｌ４を同時（一度）に受光できる利点がある。
【００４５】
図２（Ｂ）に示す第２例は、被測定物３の法線のθ方向に正反射光検出用の光源１４を、法線方向に拡散反射光検出用の光源１６を、法線の−θ方向に正反射光Ｌ３と拡散反射光Ｌ４とを受光する反射光受光部３６を配置した点に特徴を有する。つまり、正反射光検出用の光源１４と拡散反射光検出用の光源１６は、被測定物３を位置させる測定ポイントｚに対して異なる角度から光を照射するように、それぞれ照射光軸が測定ポイントｚで交差するように配され、測定用受光センサが内部に設けられている反射光受光部３６は、測定ポイントｚに置かれた被測定物３の表面で正反射もしくは拡散反射される反射光軸上に配されている。
【００４６】
この構成では、反射光受光部３６が、正反射光検出用と拡散反射光検出用の各受光部として兼用され、正反射光Ｌ３の検出にはθ度入射−θ度受光系が使用され、拡散反射光Ｌ４の検出には０度入射−θ度受光系が使用されるようになっている。すなわち、この第２例の構成は、それぞれ異なる光源から発せられ被測定物３にて反射した正反射光Ｌ３と拡散反射光Ｌ４とを、共通の受光部を使用して検出するものである。この第２例の構成では、受光部が１つの光学系であり、正反射光Ｌ３と拡散反射光Ｌ４を切り分けて同時に受光することはできないので、２つの光源１４，１６を制御して所定のタイミングで順次点灯させ、正反射光Ｌ３と拡散反射光Ｌ４を異なるタイミングで受光する。なお、この第２例の構成のように、共通の受光部を使用する場合、受光センサの感度ばらつきや分光感度特性のばらつきによる測定誤差が生じないという利点が得られる。
【００４７】
図２（Ｃ）に示す第３例は、被測定物３の法線のθ方向に正反射光検出用の光源１４を、法線のθ１方向に拡散反射光検出用の光源１６を、法線の−θ方向に正反射光Ｌ３を受光する正反射光受光部３２を、法線方向に拡散反射光Ｌ４を受光する拡散反射光受光部３４を配置する構成である。この構成では、正反射光Ｌ３の検出にはθ度入射−θ度受光系が使用され、拡散反射光Ｌ４の検出にはθ１度入射−０度受光系が使用されるようになっている。
【００４８】
すなわち、この第３例の構成は、それぞれ異なる光源から発せられ被測定物３にて反射した正反射光Ｌ３と拡散反射光Ｌ４とを、それぞれ異なる受光部を使用して検出するものである。この第３例の構成では、各受光部３２，３４はそれぞれ異なる光源１４，１６から発せられ被測定物３にて反射した光を切り分けることはできないので、第２例と同様に、２つの光源１４，１６を制御して所定のタイミングで順次点灯させ、正反射光Ｌ３と拡散反射光Ｌ４を異なるタイミングで受光する。
【００４９】
図２（Ｄ）に示す第４例は、被測定物３の法線のθ方向に正反射光検出用の光源１４を、法線方向に拡散反射光検出用の光源１６を、法線の−θ方向に正反射光を受光する正反射光受光部３２を、法線のθ１方向に拡散反射光を受光する拡散反射光受光部３４を配置する構成である。この構成では、正反射光の検出にはθ度入射−θ度受光系が使用され、拡散反射光の検出には０度入射−θ１度受光系が使用されるようになっている。
【００５０】
すなわち、この第４例の構成は、それぞれ異なる光源１４，１６から発せられ被測定物３にて反射した正反射光と拡散反射光とを、それぞれ異なる受光部を使用して検出するものである点で第３例と共通するが、拡散反射光測定時の入射角と受光角が第３例と異なる（逆の関係となっている）。測定時には、第３例と同様に、２つの光源１４，１６を制御して所定のタイミングで順次点灯させ、正反射光Ｌ３と拡散反射光Ｌ４を異なるタイミングで受光する。
【００５１】
一般的に、光沢成分に対応する正反射光を検出する際の光学系として、２０度入射−２０度受光、４５度入射−４５度受光、６０度入射−６０度受光、７５度入射−７５度受光、８５度入射−８５度受光の光学系が、色彩成分に対応する拡散反射光を検出する際の光学系として、４５度入射−０度受光、０度入射−４５度受光の光学系がそれぞれ用いられることが多い。ただし、本実施形態の光沢評価装置１においては、必ずしも、このようなものに限らない。すなわち、光源の入射角θ，θ１、あるいは受光角θ，θ１は任意の角度を指定してよい。
【００５２】
色成分の検知に関わる拡散反射光Ｌ４のための光源や受光部については、分光分布特性を取得可能なものとする必要がある。たとえば、光源として白色光源を用い、受光部として色分離フィルタ（たとえば６チャンネルのフィルタ）が設けられ分光分布特性を取得可能なものを用いるのがよい。また、装置の小型化には適さないが、分光器を用いて分光分布特性を取得してもよい。あるいは、光源側で分光した各照明光を順次各別に発し単一の受光部（色分離フィルタは不要）にて順次受光することで分光分布特性を取得する構成としてもよい。最終的に３刺激値に対応する受光信号が得られればよい。
【００５３】
正反射光Ｌ３については、単一波長を発する光源と、その波長に対しての受光感度が高い受光センサを用いることができる。たとえば、白色光を発し分光して受光する構成は、必ずしも必要ではない。ただし、人間の視覚特性をより忠実に反映した受光信号を得るのが好ましく、本実施形態では、光源側では白色光を使用し、受光部側で視感度補正フィルタ（緑色フィルタでよい）を使用することとする。
【００５４】
＜信号処理部；その１＞
図３は、信号処理系統の第１の構成例（以下、第１実施形態の信号処理部４０という）を説明する図である。
【００５５】
第１実施形態の信号処理部４０は、図１、図２に示した光学部４の受光部３２，３４，３６を構成する受光信号処理部４２と、受光信号処理部４２により検知された受光信号（基礎情報）に基づき、主観的な光沢度と対応の取れた評価値を算出する信号処理部８に相当する評価値算出処理部４４とを備える。
【００５６】
受光信号処理部４２は、正反射光Ｌ３についての信号処理系統をなす正反射光信号処理部５０として、被測定物３に対し光源の光を照射することで被測定物３にて反射した正反射光Ｌ３を受光する正反射光受光器５２および正反射光受光器５２により得られた受光信号Ｓ１に基づき、分光鏡面反射率データＳ３を取得する分光鏡面反射率取得部５４とを有する。また、分光鏡面反射率取得部５４で得られた分光鏡面反射率データＳ３を鏡面光沢度ＧＳに変換する鏡面光沢度変換部５６を有する。鏡面光沢度変換部５６は、正反射光受光部３２（または３６）により検知された受光信号に基づいて光沢指標値ＧＵを求めるための基礎情報としての鏡面光沢度ＧＳを取得する正反射光基礎情報取得部の一例である。鏡面光沢度ＧＳを算出する際の基準面は、たとえば全波長領域における屈折率が１．５６７である黒ガラス表面とする。
【００５７】
正反射光受光器５２、正反射光信号処理部５４、および鏡面光沢度変換部５６により、正反射光信号処理部５０が構成される。正反射光受光器５２と分光鏡面反射率取得部５４は、図２に示した正反射光受光部３２や、反射光受光部３６の正反射光受光状態のものに対応する。
【００５８】
また、受光信号処理部４２は、拡散反射光Ｌ４についての信号処理系統をなす拡散反射光信号処理部６０として、被測定物３に対し光源の光を照射することで被測定物３にて反射した拡散反射光Ｌ４を受光する拡散反射光受光器６２および拡散反射光受光器６２により得られた受光信号Ｓ２に基づき、分光反射率データＳ４を取得する分光反射率取得部６４とを有する。また、分光反射率取得部６４にて得られた分光反射率データＳ４を、デバイス非依存の信号である３刺激値Ｘ，Ｙ，Ｚに変換する色変換部６６を有する。色変換部６６は、拡散反射光受光部３４（または３６）により検知された受光信号に基づいて色彩指標値を求めるための基礎情報としての３刺激値Ｘ，Ｙ，Ｚを取得する拡散反射光基礎情報取得部の一例である。３刺激値Ｘ，Ｙ，Ｚを算出する際の基準面は、完全拡散反射面とする。
【００５９】
拡散反射光受光器６２、分光反射率取得部６４、および色変換部６６により、拡散反射光信号処理部６０が構成される。拡散反射光受光器６２と分光反射率取得部６４は、図２に示した拡散反射光受光部３４や、反射光受光部３６の拡散反射光受光状態のものに対応する。
【００６０】
評価値算出処理部４４は、鏡面光沢度変換部５６にて得られた正反射光Ｌ３に基づく鏡面光沢度ＧＳと主観的な光沢度との関係が線形になるように鏡面光沢度ＧＳを光沢指標値ＧＵ（Ｄ１）に変換する線形変換部７２を有する。線形変換部７２は、光沢指標算出部の一例である。一般に、鏡面光沢度ＧＳと主観的な光沢度との関係は、普通紙のような低光沢領域から写真のような高光沢領域までの幅広い光沢範囲では非線形となる。
【００６１】
そこで、線形変換部７２は、たとえば式（１）のように、鏡面光沢度ＧＳのべき乗変換、または対数変換を行なう。係数ｋ１〜ｋ５については、予め、使用する光学系で得られた鏡面光沢度ＧＳと官能評価実験で得られた主観的な光沢度との回帰分析から最適な値を求めておく。線形変換部７２は、このようにして変換された値を光沢指標値ＧＵとする。なお、鏡面光沢度ＧＳの線形変換を行なわず、鏡面光沢度ＧＳそのものを光沢指標値ＧＵとして使用することも可能である。
【数１】
2004317131.tif 000003
【００６２】
また、評価値算出処理部４４は、色変換部６６にて得られた拡散反射光Ｌ４に基づく３刺激値Ｘ，Ｙ，Ｚを均等色空間の表色値Ｌ＊，ａ＊，ｂ＊（以下Ｌ，ａ，ｂと記す）に変換し、さらに表色値Ｌ，ａ，ｂを色の３属性を構成する明度Ｌ＊、彩度Ｃ＊、色相ｈ（以下Ｌ，Ｃ，ｈと記す）に変換する線形変換部７４を有する。線形変換部７４は、色彩指標値算出部の一例である。
【００６３】
この線形変換部７４は、このようにして得た明度Ｌを明度（輝度や濃度に対応）情報に関する色彩指標値ＣＬ１、並びに彩度Ｃを色情報に関する色彩指標値ＣＬ２とする。色彩指標値ＣＬ１と色彩指標値ＣＬ２とを纏めて色彩指標値Ｄ２とする。なお、視感反射率Ｙや視感反射率Ｙのべき乗項もしくは対数項を、色彩指標値ＣＬ１とすることも可能である。
【００６４】
また、評価値算出処理部４４は、線形変換部７２により得られた光沢指標値ＧＵと線形変換部７４により得られた色彩指標値ＣＬ１，ＣＬ２とを用いた所定の関数Ｆ（ＧＵ，ＣＬ１，ＣＬ２）にて被測定物の色の影響を低減可能な光沢評価値ＶＧを算出することで、主観的な光沢度を従来よりも忠実に反映可能な光沢評価値ＶＧを求める光沢評価値取得部７８を有する。この光沢評価値取得部７８は、たとえば光沢指標値ＧＵと色彩指標値ＣＬ１，ＣＬ２に対して、それぞれ所定の重み係数を乗じて主観的な光沢度と対応の取れた光沢評価値ＶＧを算出する。
【００６５】
ここで、第１実施形態の光沢評価値取得部７８においては、光沢指標値ＧＵが大きいほど光沢評価値ＶＧが大きくなるような、明度ＣＬ１が大きいほど光沢評価値ＶＧが小さくなるような、彩度ＣＬ２が大きいほど光沢評価値ＶＧが大きくなるような（逆に彩度が小さいほど光沢評価値が小さくなるような）重付け演算を行なう。３つの要素のうちの光沢指標値ＧＵと明度ＣＬ１に関するものは、特許文献３，４に記載の評価値の求め方と類似しているが、彩度ＣＬ２に関する要素を光沢評価値ＶＧの取得に取り入れた、すなわち彩度ＣＬ２も参照して光沢評価値ＶＧを求める点に特徴を有する。
【００６６】
たとえば、式（２）のような３指標ＧＳ，ＣＬ１，ＣＬ２についての重付け線形和（重付け処理の結果値の加算値）を用いることで、正反射光Ｌ３に基づいて得られる光沢指標値ＧＵと拡散反射光Ｌ４に基づいて得られる明度Ｌに関する指標値ＣＬ１とを参照して得られる物体の光沢に関する評価値に対して、拡散反射光Ｌ４に基づいて得られる彩度Ｃに関する指標値ＣＬ２を参照して物体の色の影響を低減する方向に補正を加える。
【数２】
2004317131.tif 000004
【００６７】
係数ｐ１〜ｐ４については、測定値から得られた光沢指標値ＧＵと、色彩指標値ＣＬ１，ＣＬ２と官能評価実験から得られた主観的な光沢度との重回帰分析から予め最適な値を求めておく。特に係数ｐ１〜ｐ３については、光沢指標値ＧＵとして鏡面光沢度、色彩指標値ＣＬ１としての明度Ｌ、色彩指標値ＣＬ２としての彩度Ｃを使用したときの重み係数の比が視覚的な相関に寄与する項目として重要であるという点に基づいて設定される。係数ｐ４は、式（２）にて求めた光沢評価値ＶＧが負の値を取らないようにするための補正値である。
【００６８】
重み係数の比を決定する要因は以下の通りである。すなわち、先ず光沢評価値ＶＧに与える主要要素は正反射光Ｌ３に基づいて得られる光沢指標値ＧＵであるので、この光沢指標値ＧＵに対する重み係数ｐ１は、たとえばｐ１：ｐ２：ｐ３＝０．９９１：０．２４３：０．０３０（後述する図５（Ｂ）の説明を参照）というように、他の重み係数ｐ２，ｐ３よりも大きい値とする。
【００６９】
次に、人間の目視感と一致する光沢評価値にするため、特許文献３，４などと同様に拡散反射光Ｌ４に基づいて得られる明度Ｌに基づいて補正を加える要素としての重み係数ｐ２と、本実施形態特有の部分として、拡散反射光Ｌ４に基づいて得られる彩度Ｃに基づいて補正を加える要素としての重み係数ｐ３とを決定する。ここで、視覚上は明度の方が彩度よりも感度が高いので、たとえばｐ２：ｐ３＝０．２４３：０．０３０というように、明度Ｌ（色彩評価値ＣＬ１）についての重み係数ｐ２を彩度Ｃ（色彩評価値ＣＬ２）についての重み係数ｐ３よりも大きくする。すなわち、重み係数ｐ１も含めて、人間の視覚特性を反映した適切な重付け係数を設定する。
【００７０】
式（２）に従った演算を行なう光沢評価値取得部７８には、光沢指標値ＧＵ、明度Ｌに関する指標値（色彩指標値ＣＬ１）、および彩度に関する指標値（色彩指標値ＣＬ２）のそれぞれに対して所定の重み係数ｐ１〜ｐ３を乗じる重付け演算部８０と、これら重み係数が乗じられた値および補正項ｐ４の線形和を取る加算部８２とが設けられる。加算部８２は、光沢指標値ＧＵと拡散反射光Ｌ４に基づいて得られる明度Ｌに関する色彩指標値ＣＬ１とを参照して得られる物体の光沢に関する評価値（本例ではｐ１＊ＧＵ−ｐ２＊ＣＬ１）に対して、彩度Ｃに関する指標値ＣＬ２に基づき物体の色の影響を低減する方向に補正を加える補正部としての機能を持つ。
【００７１】
式（２）に従って重付け演算とその線形和により光沢評価値ＶＧを求めるという非常に簡単な演算にて、後述するように、物体が有する色に拘わらず、従来の手法よりも一層忠実な、主観的な光沢度と対応の取れた光沢評価値ＶＧを求めることが可能となった。特に、人間の視覚特性を反映した適切な重付け係数を設定することで、得られた光沢評価値ＶＧと主観的光沢度との相関は非常に高くなる（図５と対応する説明を参照）。
【００７２】
＜評価値算出処理の手順＞
図４は、第１実施形態の構成における、評価値算出処理の手順の一例を示すフローチャートである。ここでは、それぞれ異なる光源から発せられた正反射光と拡散反射光とを、それぞれ異なる受光部を使用して検出する、図２（Ｃ）や図２（Ｄ）に示した光学部４を用いることとする。
【００７３】
先ず、被測定物３を支持台６の所定位置に載置し（Ｓ１００）、支持台６を支持台駆動部７により駆動して、光源１４，１６から発せられる光線Ｌ１，Ｌ２が被測定物３を照射する位置（測定ポイントｚ）に被測定物３をセットする（Ｓ１０２）。この後、光源１４，１６で被測定物３の測定ポイントｚを投光し、これによって得られる被測定物３からの反射光量の測定を開始する。正反射光Ｌ３と拡散反射光Ｌ４との何れを先に測定するかは自由であるが、ここでは正反射光Ｌ３の測定を先に行なうものとして説明を続ける。
【００７４】
光学系制御部５は、正反射光測定用の光源である光源１４に入力されている制御信号ＣＮ１をアクティブにして、光源１４から照明光Ｌ１を発せさせる（Ｓ１１０）。これを受けて、対応する正反射光受光部３２（具体的には正反射光受光器５２）にて、被測定物３にて反射された正反射光Ｌ３を受光し、この受光により得た受光データＳ１を所定の記憶装置の所定の記憶領域に記憶する（Ｓ１１２）。このとき、光源１４からの照明光Ｌ１が被測定物３の適正な測定ポイントｚに照射されるよう、支持台駆動部７にて支持台６を適度に移動させ、複数ポイントのデータを取得し、その平均値などを受光データＳ１として用いるとよい。
【００７５】
分光鏡面反射率取得部５４は、正反射光受光器５２により得られた受光データＳ１に基づき分光鏡面反射率データＳ３を取得し（Ｓ１１４）、鏡面光沢度変換部５６は、分光鏡面反射率データＳ３を鏡面光沢度ＧＳに変換する（Ｓ１１６）。この後、線形変換部７２は、鏡面光沢度ＧＳと主観的な光沢度との関係が線形になるように、上述した式（１）に従って光沢指標値ＧＵを求め、この光沢指標値ＧＵを所定の記憶装置の所定の記憶領域に記憶する（Ｓ１１８）。以上で正反射光Ｌ３についての測定や計算処理が完了する。
【００７６】
次に、光学系制御部５は、拡散反射光測定用の光源である光源１６に入力されている制御信号ＣＮ２をアクティブにして、光源１６から照明光Ｌ２を発せさせる（Ｓ１２０）。これを受けて、対応する拡散反射光受光部３４（具体的には拡散反射光受光器６２）にて、被測定物３にて反射された拡散反射光Ｌ４を受光し、この受光により得た受光データＳ２を所定の記憶装置の所定の記憶領域に記憶する（Ｓ１２２）。このとき、光源１６からの照明光が被測定物３の適正な測定ポイントｚに照射されるよう、支持台駆動部７にて支持台６を適度に移動させ、複数ポイントのデータを取得し、その平均値などを受光データＳ２として用いるようにするとよい。
【００７７】
分光反射率取得部６４は、拡散反射光受光器６２により得られた受光データＳ２に基づき分光反射率データＳ４を取得し（Ｓ１２４）、色変換部６６は、分光反射率データＳ４を３刺激値Ｘ，Ｙ，Ｚに変換する（Ｓ１２６）。この後、線形変換部７４は、３刺激値Ｘ，Ｙ，Ｚを均等色空間の表色値Ｌ，ａ，ｂに変換し、さらに明度Ｌ、彩度Ｃ、色相ｈに変換し、このうちの明度Ｌを色彩指標値ＣＬ１とし、彩度Ｃを色彩指標値ＣＬ２として、所定の記憶装置の所定の記憶領域に記憶する（Ｓ１２８）。以上で拡散反射光についての測定や計算処理が完了する。
【００７８】
正反射光Ｌ３についての測定や計算処理と拡散反射光Ｌ４についての測定や計算処理が完了すると、光沢評価値取得部７８は、ステップＳ１１８にて求めた光沢指標値ＧＵと、ステップＳ１２８にて求めた色彩指標値ＣＬ１，ＣＬ２に対して、上述した式（２）に従って、主観的な光沢度と対応の取れた光沢評価値ＶＧを算出し、この光沢評価値ＶＧを所定の記憶装置の所定の記憶領域に記憶する（Ｓ１３０）。
【００７９】
なお、後でも述べるが、正反射光Ｌ３についての基礎情報である鏡面光沢度ＧＳの取得や、拡散反射光Ｌ４についての基礎情報である３刺激値Ｘ，Ｙ，Ｚの取得に関しては、図３に示した光沢評価装置１のハードウェア構成によることに限らず、既製の測定器を用いて人手を介して取得することも可能である。たとえば、鏡面光沢度ＧＳに関しては光沢度計を用いることができ、３刺激値Ｘ，Ｙ，Ｚに関しては測色計を用いることができる。この場合、これらの測定器により取得したデータは、人手（テンキーを利用）により評価値算出処理部４４に入力する手法を採用できるし、また、ＲＳ−２３２Ｃなどのインタフェースを利用することで、測定器から自動的に取り込む態様とすることもできる。後者は、パソコンなどの電子計算機を利用して評価値算出処理部４４を構築するのに都合がよい。
【００８０】
＜実施例；その１＞
図５は、第１実施形態の構成により、所定の被測定物３を測定対象として光沢評価値ＶＧを算出した結果を説明する図である。比較例として、ＪＩＳ−Ｚ８７４１−１９９７記載の鏡面光沢度測定方法で測定した６０度鏡面光沢度を図５（Ａ）に示し、第１実施形態の構成による式（２）を用いて求めた光沢評価値ＶＧを人間の主観的な光沢度との相関関係で示したものを図５（Ｂ）に示す。
【００８１】
なお、図５（Ｂ）では、図２（Ｄ）で示した光学部４の構成を用いて、正反射光の検出にはθ＝６０度とした６０度入射−６０度受光系を、また拡散反射光の検出にはθ１＝４５度とした０度入射−４５度受光系を用いている。また、光沢指標値ＧＵとして８．９８７＊ＧＳ＾０．５３６−１３．４４２を、色彩指標値ＣＬ１として明度Ｌを、ＣＬ２として彩度Ｃを使用している。重み係数はそれぞれ、ｐ１＝０．９９１、ｐ２＝０．２４３、ｐ３＝０．０３０、ｐ４＝９．２９２である。被測定物３は電子写真で普通紙に形成された１次色（Ｃ，Ｍ，Ｙ，Ｋ）、２次色（Ｒ，Ｇ，Ｂ）、３次色（ｐＫ）の画像および画像印字媒体で、６０度鏡面光沢度で５．１〜２４．０の光沢範囲にある。ここで、２次色とは、１次色Ｃ，Ｍ，Ｙの任意の２色を組み合わせて得られる色である。また３次色とは、１次色Ｃ，Ｍ，Ｙの全てを組み合わせて得られる黒色（プロセス黒）である。
【００８２】
図５からも明らかなように、６０度鏡面光沢度と主観的光沢度との相関が寄与率（Ｒ＾２）＝０．６６３２であるのに対し、第１実施形態の構成に依れば、光沢評価値ＶＧと主観的光沢度との相関は非常に高く、寄与率（Ｒ＾２）＝０．９３４１を示している。
【００８３】
したがって、正反射光成分から算出した光沢指標値ＧＵと拡散反射光成分から算出した明度、彩度（すなわち色彩指標値Ｄ２）に対して、光沢指標値ＧＵが大きいほど光沢評価値ＶＧが大きくなるように、明度（色彩指標値ＣＬ１）が大きいほど光沢評価値ＶＧが小さくなるように、彩度（色彩指標値ＣＬ２）が大きいほど光沢評価値ＶＧが大きくなるように、それぞれ所定の重みを乗じて光沢評価値ＶＧを求めることで、被測定物３が異なる色を有する場合であっても、人間の主観的な光沢度と対応の取れた結果を得ることが可能である。
【００８４】
＜信号処理部；その２＞
図６は、信号処理系統の第２の構成例（以下、第２実施形態の信号処理部４０という）を説明する図である。
【００８５】
第２実施形態の信号処理部４０は、光沢評価値取得部７８の機能が第１実施形態の構成と異なり、この光沢評価値取得部７８は、線形変換部７２により得られた光沢指標値ＧＵと線形変換部７４により得られた色彩指標値ＣＬ１とを用いた所定の関数Ｆ（ＧＵ，ＣＬ１）にて、被測定物の光沢範囲の影響を低減可能な光沢評価値ＶＧを算出することで、主観的な光沢度を従来よりも忠実に反映可能な光沢評価値ＶＧを求める。
【００８６】
具体的には、光沢評価値取得部７８における光沢評価値ＶＧの算出に際して、光沢指標値ＧＵが大きいほど光沢評価値ＶＧが大きくなるように、明度（色彩指標値ＣＬ１）が大きいほど光沢評価値ＶＧが小さくなるように、光沢指標値ＧＵが大きいほど明度（色彩指標値ＣＬ１）の影響が小さくなるように、それぞれ所定の重みを乗じて光沢評価値ＶＧを算出する点に特徴を有する。３つの要素のうちの光沢指標値ＧＵと明度ＣＬ１に関するものは、特許文献３，４に記載の評価値の求め方と類似しているが、光沢指標値ＧＵに基づいて拡散反射光から得られる明度の影響が小さくなるようにする修正要素を光沢評価値ＶＧの取得に取り入れた点、すなわち光沢指標値ＧＵを参照して拡散反射光から得られる明度の影響を調整する点に特徴を有する。
【００８７】
光沢指標値ＧＵが大きいほど明度（色彩指標値ＣＬ１）の影響が小さくなるようにするには、明度（色彩指標値ＣＬ１）に乗じる鏡面光沢度ＧＳが単調減少する関数を修正要素として用いる。そして、正反射光Ｌ３に基づいて得られる光沢指標値ＧＵと拡散反射光Ｌ４に基づいて得られる明度Ｌに関する指標値ＣＬ１とを参照して得られる物体の光沢に関する評価値に対して、この修正要素を参照して物体の光沢範囲の影響を低減する方向に補正を加えるとよい。つまり、第２実施形態の信号処理部４０は、光沢指標値ＧＵと色彩指標値ＣＬ１，ＣＬ２とではなく、光沢指標値ＧＵと色彩指標値ＣＬ１とを重み付け演算して、光沢評価値ＶＧを算出する。この場合にも、求めた光沢評価値ＶＧが負の値を取らないようにするための補正値を加味する。
【００８８】
たとえば、式（３）のような２指標に基づく重付け線形和を用いる。明度に乗じる関数ｆ（ＧＵ）は鏡面光沢度ＧＳによって単調減少する関数である。
【数３】
2004317131.tif 000005
【００８９】
式（３）に従った演算を行なう光沢評価値取得部７８には、関数ｆ（ＧＵ）の値を求める修正要素演算部８４と、光沢指標値ＧＵと明度Ｌに関する指標値（色彩指標値ＣＬ１）のそれぞれに対して、所定の重み係数ｐ１を乗じるあるいは重み係数ｐ２と関数ｆ（ＧＵ）の値とを乗じる重付け演算部８０と、これら重み係数が乗じられた値および補正項ｐ３の線形和を取る加算部８２とが設けられる。修正要素演算部８４は、光沢指標値ＧＵが大きいほど明度Ｌの光沢評価値ＶＧに与える影響が小さくなるようにする修正要素である関数ｆ（ＧＵ）を求める機能を有する。
【００９０】
なお、この式（３）は、式（４）のように表すこともできる。この式（４）では、明度Ｌに乗じる関数を（ｐ２−ｐ３＊ＧＵ）としたが、鏡面光沢度ＧＳによって単調減少する関数であればその他の関数を用いてもよい。
【数４】
2004317131.tif 000006
【００９１】
図示を割愛するが、式（４）に従った演算を行なう光沢評価値取得部７８には、光沢指標値ＧＵが大きいほど明度Ｌの光沢評価値ＶＧに与える影響が小さくなるようにする修正要素（ｐ２−ｐ３＊ＧＵ）を求める修正要素演算部８４と、光沢指標値ＧＵに対して所定の重み係数ｐ１を乗じるとともに明度Ｌに関する指標値（色彩指標値ＣＬ１）に対し修正要素（本例ではｆ（ＧＵ）；重み係数と等価）を乗じる重付け演算部８０と、これら重み係数が乗じられた値および補正項ｐ４の線形和を取る加算部８２とが設けられる。この場合、修正要素演算部８４は、光沢指標値ＧＵに対して所定の重み係数（本例ではｐ３）を乗じ、所定の重み係数（初期値に対応）との差を取ることで、拡散反射光Ｌ４に基づく修正要素を求めることとなる。
【００９２】
式（３）と式（４）の何れを用いる場合であっても、係数ｐ１〜ｐ４については、測定値から得られた光沢指標値ＧＵと、色彩指標値ＣＬ１と官能評価実験から得られた主観的な光沢度との重回帰分析から、予め最適な値を求めておく。
【００９３】
特に式（４）における係数ｐ１〜ｐ３については、第１実施形態と同様に、光沢指標値ＧＵとして鏡面光沢度、色彩指標値ＣＬ１としての明度Ｌを使用したときの重み係数の比（本例ではｐ１：ｐ２：ｐ３＝０．８５６：０．３２６：０．００３）が視覚的な相関に寄与する項目として重要であるという点に基づいて設定される。式（４）を展開すると、式（５）となり、ｐ１とｐ２とｐ３の比が重要なことは、実施形態１と同様である。
【数５】
2004317131.tif 000007
【００９４】
図示を割愛するが、（５）に従った演算を行なう光沢評価値取得部７８には、光沢指標値ＧＵ、明度Ｌに関する指標値（色彩指標値ＣＬ１）、および光沢指標値ＧＵと明度Ｌに関する指標値（色彩指標値ＣＬ１）との積のそれぞれに対して所定の重み係数ｐ１〜ｐ３を乗じる重付け演算部８０と、これら重み係数が乗じられた値および補正項ｐ４の線形和を取る加算部８２とが設けられる。
【００９５】
上記式（３）〜（５）において重み係数の比を決定する要因は以下の通りである。すなわち、第１実施形態と同様に、先ず光沢評価値ＶＧに与える主要要素は正反射光Ｌ３に基づいて得られる光沢指標値ＧＵであるので、この光沢指標値ＧＵに対する重み係数ｐ１は、たとえば式（４），（５）で言えば、ｐ１：ｐ２：ｐ３＝０．８５６：０．３２６：０．００３（後述する図７（Ｂ）の説明を参照）というように、他の重み係数ｐ２（やｐ３）よりも大きい値とする。
【００９６】
次に、人間の目視感と一致する光沢評価値にするため、特許文献３，４などと同様に拡散反射光Ｌ４に基づいて得られる明度Ｌに基づいて補正を加える要素としての重み係数ｐ２と、本実施形態特有の部分として、明度Ｌに基づいて補正を加える要素に対する修正要素（式（４），（５）では重み係数）とを決定する。ここで、修正要素としては、前記物体の光沢度（正反射光Ｌ３に基づく光沢指標値ＧＵでよい）が大きいほど拡散反射光Ｌ４から得られる明度の光沢評価値ＶＧに与える影響が小さくものとするが、その修正の寄与度は少なくてよい。よって、式（４），（５）で言えば、たとえばｐ２：ｐ３＝０．３２６：０．００３というように、初期値に相当する重み係数ｐ２を修正分についての重み係数ｐ３よりも大きくする。すなわち、光沢指標値ＧＵに対する明度Ｌでの補正と、この補正に対する光沢指標値ＧＵを参照した修正に際しては、人間の視覚特性を反映した適切な重付け係数を設定して重付け線形和を取る。
【００９７】
式（３）〜（５）に従って重付け演算とその線形和により光沢評価値ＶＧを求めるという非常に簡単な演算にて、物体の光沢範囲に拘わらず、従来の手法よりも一層忠実な、主観的な光沢度と対応の取れた光沢評価値ＶＧを求めることが可能となった。特に、人間の視覚特性を反映するように、光沢指標値ＧＵに対する明度Ｌでの補正、およびこの補正に対する光沢指標値ＧＵを参照した修正に際して、適切な重付け係数を設定することで、得られた光沢評価値ＶＧと主観的光沢度との相関は、広い主観的光沢度の範囲に亘って非常に高くなる（図７と対応する説明を参照）。また、光沢範囲の影響を相殺するための修正要素を光沢指標値ＧＵに施す際には、式（３）〜（５）に示したように様々な手法（演算式）を用いることができ便利である。
【００９８】
＜実施例；その２＞
図７は、第２実施形態の構成により、所定の被測定物３を測定対象として光沢評価値ＶＧを算出した結果を説明する図である。なお、第２実施形態の構成における、評価値算出処理の手順は、光沢評価値取得部７８の重付け演算の処理内容が異なるだけであるので、図示を割愛する。
【００９９】
ここで、図７（Ａ）は正反射光強度と拡散反射光強度との比である対比光沢度と人間の主観的な光沢度との相関関係を示したもので、対比光沢度としてＬＯＧ（６０度鏡面光沢度ＧＳ／明度）＋１を使用している。分母の明度は拡散反射光の明度であり色彩指標値ＣＬ１である。つまり、正反射光受光部３２が受光した正反射光量と、拡散反射光受光部３４が受光した拡散反射光量との比を演算し、その数値に対応した値（本例では対数値）を対比光沢度として使用する。
【０１００】
一方、図７（Ｂ）は、式（４）を用いて求めた光沢評価値ＶＧと主観的光沢度との相関を示したもので、正反射光の検出には６０度入射−６０度受光系、拡散反射光の検出には０度入射−４５度受光系を用いている。光沢指標値ＧＵとして８．９８７＊ＧＳ０．５３６−１３．４４２を、色彩指標値ＣＬ１として明度Ｌを使用している。重み係数はそれぞれ、ｐ１＝０．８５６、ｐ２＝０．３２６、ｐ３＝０．００３である。
【０１０１】
被測定物３は電子写真で普通紙およびコート紙に形成された１次色（Ｃ，Ｍ，Ｙ，Ｋ）、２次色（Ｒ，Ｇ，Ｂ）、３次色（ｐＫ）の画像および画像印字媒体で、６０度鏡面光沢度で５．１〜５０．６の光沢範囲にある。
【０１０２】
図７からも明らかなように、対比光沢度と主観的光沢度との相関が寄与率（Ｒ＾２）＝０．７４４３である。本願発明者の検討に依れば、相関寄与率を低くする要因は、被測定物３の持つ色にあることが分かった。たとえば、図７（Ａ）中で、黒系統、青系統、および白・黄系統で示すように、色別の系統で見る限りでは、広い光沢度の範囲に亘って相関寄与率は比較的高いが、色の違いによって、相関寄与率が低くなっている。
【０１０３】
また、光沢度の低い領域では色の違いによる対比光沢度の差が小さく、特許文献３（特開平２００１−４５４１号公報）や特許文献４（特開平２００１−２７６０４号公報）に記載のように、正反射光強度と乱反射光強度との比（対比光沢）に基づいて被測定物の光沢を検知することでも、人間の官能評価に一致する値として得られる。ところが、光沢度の高い領域では色の違いによる対比光沢度の差が大きくなっている。つまり、ＪＩＳ−Ｚ８７４１−１９９７記載の鏡面光沢度測定方法で測定した光沢度における広い領域で見ると（つまり正反射光強度が変化するような場合）、単純な正反射光強度と拡散反射光強度との比もしくは比に重み係数を乗じた値では主観的な光沢度との相関は高くならない。
【０１０４】
本願発明者の実験に依れば、カラープリンタなどで使用される普通紙または普通紙に形成された画像などの低光沢領域では、拡散反射光の影響が強く対比光沢と主観的な光沢度との対応が良くなるが、写真のような高光沢領域になるに連れて、拡散反射光の影響が小さくなることが分かった。そこで、第２実施形態では、この点を考慮して、光沢指標値ＧＵを参照した修正を加えるように、式（３）や式（４）（あるいはその変形である式（５））に従って光沢評価値ＶＧを求めることとした。
【０１０５】
図７（Ｂ）は、その結果を示しており、第２実施形態にて求められた光沢評価値ＶＧと主観的光沢度との相関は、広い主観的光沢度の範囲に亘って非常に高く、寄与率（Ｒ＾２）＝０．９５５７を示している。したがって、正反射光成分から算出した光沢指標値ＧＵと拡散反射光成分から算出した明度Ｌに対して、光沢指標値ＧＵが大きいほど光沢評価値ＶＧが大きくなるように、明度（色彩指標値ＣＬ１）が大きいほど光沢評価値ＶＧが小さくなるように、光沢指標値ＧＵが大きいほど明度（色彩指標値ＣＬ１）の影響が小さくなるように、それぞれ所定の重みを乗じて光沢評価値ＶＧを求めることで、被測定物３が低光沢から高光沢までの幅広い光沢範囲を有する場合であっても、人間の主観的な光沢度と対応の取れた結果を得ることが可能である。
【０１０６】
なお、上述した第１および第２実施形態ともに、従来では取り上げなかった彩度と重み関数を加えているが、それぞれの重み係数はｐ１の０．９９１、０．８５６に対し、０．０３と０．００３であり、寄与は低い。ここで、本実施形態の光沢評価装置１の特徴は２つあるが、１）の影響が大きかったため、相関は高くなっている。
１）従来は単純な光沢指標値ＧＵと明度（色彩指標値ＣＬ１）の比であったのを、異なる重み付けの関数（和）とした。
２）従来取り上げていなかった彩度Ｃと鏡面光沢度ＧＳで単調減少する重み関数を加えた。
【０１０７】
＜パソコンなどの電子計算機を利用した構成＞
なお、上述した一連の光沢に関する評価値算出処理は、ハードウェアにより実行させることもできるが、ソフトウェアにより実行させることもできる。一連の評価値算出処理をソフトウェアにより実行させる場合には、そのソフトウェアを構成するプログラムが、専用のハードウェアに組み込まれているコンピュータ（組込みマイコンなど）、あるいは、ＣＰＵ、論理回路、記憶装置などの機能を１つのチップ上に搭載して所望のシステムを実現するＳＯＣ（Ｓｙｓｔｅｍ  Ｏｎ  ａ  Ｃｈｉｐ：システムオンチップ）、または、各種のプログラムをインストールすることで各種の機能を実行することが可能な汎用のパーソナルコンピュータなどに、記録媒体からインストールされる。
【０１０８】
記録媒体は、コンピュータのハードウェア資源に備えられている読取装置に対して、プログラムの記述内容に応じて、磁気、光、電気などのエネルギの変化状態を引き起こして、それに対応する信号の形式で、読取装置にプログラムの記述内容を伝達できるものである。たとえば、コンピュータとは別に、ユーザにプログラムを提供するために配布される、プログラムが記録されている磁気ディスク（フレキシブルディスクを含む）、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ  ）、ＤＶＤ（Ｄｉｇｉｔａｌ  Ｖｅｒｓａｔｉｌｅ  Ｄｉｓｃ）を含む）、光磁気ディスク（ＭＤ（Ｍｉｎｉ  Ｄｉｓｃ  ）を含む）、または半導体メモリなどよりなるパッケージメディア（可搬型の記憶媒体）により構成されるだけでなく、コンピュータに予め組み込まれた状態でユーザに提供される、プログラムが記録されているＲＯＭやハードディスクなどで構成されてもよい。または、ソフトウェアを構成するプログラムが、有線あるいは無線などの通信網を介して提供されてもよい。
【０１０９】
図８は、ＣＰＵやメモリを利用してソフトウェア的に光沢評価装置１を構成する、すなわちパーソナルコンピュータなどの電子計算機を利用して光沢評価装置１を構築する場合のハードウェア構成の一例を示した図である。
【０１１０】
光沢評価装置１を構成するコンピュータシステム９００は、ＣＰＵ９０２、ＲＯＭ（Ｒｅａｄ  Ｏｎｌｙ  Ｍｅｍｏｒｙ）９０４、ＲＡＭ９０６、および通信Ｉ／Ｆ（インタフェース）９０８を備える。ＲＡＭ９０６は、撮像画像データを格納する領域を含んでいる。
【０１１１】
また、たとえばメモリ読出部９０７、ハードディスク装置９１４、フレキシブルディスク（ＦＤ）ドライブ９１６、あるいはＣＤ−ＲＯＭ（Ｃｏｍｐａｃｔ  Ｄｉｓｋ  ＲＯＭ）ドライブ９１８などの、記憶媒体からデータを読み出したり記録したりするための記録・読取装置を備えてもよい。データは、データバスを通じて各ハードウェア間をやり取りされる。
【０１１２】
ハードディスク装置９１４、ＦＤドライブ９１６、あるいはＣＤ−ＲＯＭドライブ９１８は、たとえば、ＣＰＵ９０２に周波数変換や周波数解析などの処理をソフトウェアにて実行させるためのプログラムデータを登録するなどのために利用される。また、ハードディスク装置９１４は、処理対象データを格納する領域を含んでいる。
【０１１３】
通信Ｉ／Ｆ９０８は、インターネットなどの通信網との間の通信データの受け渡しを仲介する。またコンピュータシステム９００は、測定データ入力のインタフェースの機能をなすＩ／Ｆ部９３０を備える。
【０１１４】
なお、上記実施形態で示した光沢評価装置１の各機能部分（特に受光信号処理部４２や評価値算出処理部４４）の全ての処理をソフトウェアで行なうのではなく、これら機能部分の一部をハードウェアにて行なう処理回路９４０として設けてもよい。
【０１１５】
光学部４からの出力信号は、図示しないＡ／Ｄ変換部によってデジタルデータに変換される。Ａ／Ｄ変換部から出力されるデジタルの検知データは、図示しない出力バッファを介してコンピュータシステム９００側のＩ／Ｆ部９３０に入力される。
【０１１６】
このような構成のコンピュータシステム９００は、上記実施形態に示した光沢評価装置１のデータ処理に関わる部分や制御に関わる部分の基本的な構成および動作と同様とすることができる。また、上述した処理をコンピュータに実行させるプログラムは、ＣＤ−ＲＯＭ９２２などの記録媒体を通じて配布される。あるいは、プログラムは、ＣＤ−ＲＯＭ９２２ではなくＦＤ９２０に格納されてもよい。また、ＭＯドライブを設け、ＭＯに前記プログラムを格納してもよく、またフラッシュメモリなどの不揮発性の半導体メモリカード９２４など、その他の記録媒体に前記プログラムを格納してもよい。
【０１１７】
さらに、他のサーバなどからインターネットなどの通信網を経由して前記プログラムをダウンロードして取得したり、あるいは更新したりしてもよい。なお、記録媒体としては、ＦＤ９２０やＣＤ−ＲＯＭ９２２などの他にも、ＤＶＤなどの光学記録媒体、ＭＤなどの磁気記録媒体、ＰＤなどの光磁気記録媒体、テープ媒体、磁気記録媒体、ＩＣカードやミニチュアカードなどの半導体メモリを用いることができる。記録媒体の一例としてのＦＤ９２０やＣＤ−ＲＯＭ９２２などには、上記実施形態で説明した光沢評価装置１における処理の一部または全ての機能を格納することができる。
【０１１８】
たとえば、鏡面光沢度ＧＳに関しては光沢度計を用いて、また３刺激値ＸＹＺに関しては測色計を用いることで、各測定データＧＳ，ＸＹＺを取得し、これらをＲＳ−２３２Ｃなどのインタフェースを介して（あるいはテンキーを用いた手入力で）パソコンに取り込んで光沢評価値ＶＧを求める形態で説明すると、以下のようになる。なお、この場合、パソコン（コンピュータシステム９００）は評価値算出処理部４４として機能することとなる。
【０１１９】
すなわち、ＲＡＭ９０６などにインストールされるソフトウェアは、上記実施形態に示された光沢評価装置１と同様に、線形変換部７２，７４や光沢評価値取得部７８などの機能部をソフトウェアとして備える。このようなソフトウェアは、光沢評価値ＶＧ算出用のアプリケーションソフトとして、ＣＤ−ＲＯＭやＦＤなどの可搬型の記憶媒体に格納され、あるいはネットワークを介して配布されるとよい。
【０１２０】
そして、光沢評価装置１をコンピュータにより構成する場合、ＣＤ−ＲＯＭドライブ９１８は、ＣＤ−ＲＯＭ９２２からデータまたはプログラムを読み取ってＣＰＵ９０２に渡す。そしてソフトウェアはＣＤ−ＲＯＭ９２２からハードディスク装置９１４にインストールされる。ハードディスク装置９１４は、ＦＤドライブ９１６またはＣＤ−ＲＯＭドライブ９１８によって読み出されたデータまたはプログラムや、ＣＰＵ９０２がプログラムを実行することにより作成されたデータを記憶するとともに、記憶したデータまたはプログラムを読み取ってＣＰＵ９０２に渡す。
【０１２１】
ハードディスク装置９１４に格納されたソフトウェアは、ＲＡＭ９０６に読み出された後にＣＰＵ９０２により実行される。たとえばＣＰＵ９０２は、記録媒体の一例であるＲＯＭ９０４およびＲＡＭ９０６に格納されたプログラムに基づいて上記の処理を実行する。たとえば、鏡面光沢度ＧＳと主観的な光沢度との関係が線形になるように、上述した式（１）に従って光沢指標値ＧＵを求め、また３刺激値Ｘ，Ｙ，Ｚを均等色空間の表色値Ｌ，ａ，ｂに変換し、さらに明度Ｌ、彩度Ｃ、色相ｈに変換することで、色彩指標値ＣＬ１（明度Ｌに対応），ＣＬ２（彩度Ｃに対応）を求める。そして、光沢指標値ＧＵと色彩指標値ＣＬ１，ＣＬ２に対して、上述した式（２）に従って、主観的な光沢度と対応の取れた光沢評価値ＶＧを算出する。
【０１２２】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０１２３】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０１２４】
すなわち、本願発明は、被測定物の色や光沢範囲に拘わらず、従来の手法よりも一層、主観的な光沢度と対応の取れた評価値を求めることができるようにしたものであり、被測定物の色や光沢範囲の影響を低減可能なものである限り、光沢に関する評価値を算出する式は、上述の式に限るものではなく、必ずしも、重付け線形和を用いた式に限らない。
【０１２５】
たとえば、被測定物の色の影響を低減可能なものとするには、特許文献３，４に記載の計算式により求められる評価値に対して、彩度が大きいほど光沢評価値が大きくなるように、彩度に関する補正を加えることで、被測定物の色に拘わらず主観的な光沢度と対応の取れた光沢評価値を算出するとよい。この場合、四則演算の何れかもしくは任意の組合せ、あるいは任意の次数の関数を利用して、彩度に関する補正を行なうとよい。
【０１２６】
たとえば、第１実施形態の構成を基本としつつ、光沢評価値取得部７８にて光沢評価値ＶＧを求める際に、重付け線形和を取る式（２）に代えて、３指標ＧＳ，ＣＬ１，ＣＬ２の比を取るたとえば、式（２−２）のようなものを使用することができる。
【数６】
2004317131.tif 000008
【０１２７】
重み係数ｋ１〜ｋ４については、測定値から得られた光沢指標値ＧＵと、色彩指標値ＣＬ１，ＣＬ２と官能評価実験から得られた主観的な光沢度との非線形回帰分析から予め最適な値を求めておく。係数ｋ１〜ｋ４については、光沢指標値ＧＵとして鏡面光沢度、色彩指標値ＣＬ１としての明度Ｌ、色彩指標値ＣＬ２としての彩度Ｃを使用したときの重み係数の比が視覚的な相関に寄与する項目として重要であるという点に基づいて設定される。
【０１２８】
式（２−２）では重み係数ｋ１〜ｋ４の比が重要で、この比が一定ならば寄与率は変わらない。先に示した式（２）においてｐ１＞ｐ２＞ｐ３となるのは、式（２）の重付け線形和の場合であって、式（２−２）の重み付けした指標の線形和と比からなる評価値ＶＧでは、ｋ１＞ｋ４＞ｋ２＞ｋ３となる。
【０１２９】
図９は、第１実施形態の構成を基本としつつ、光沢評価値取得部７８にて光沢評価値ＶＧを求める際に、式（２−２）を用いて求めた光沢評価値ＶＧを算出した結果を説明する図である。この第１実施形態の変形例を示す図９は、図５（Ｂ）と同様に、光沢評価値ＶＧを人間の主観的な光沢度との相関関係で示している。なお、図９では図５（Ｂ）と同様の光学系、指標値を使用している。重み係数はそれぞれ、ｋ１＝０．４５９、ｋ２＝０．０１２、ｋ３＝０．００５、ｋ４＝０．２９５である。
【０１３０】
図９からも明らかなように、６０度鏡面光沢度と主観的光沢度との相関が寄与率（Ｒ＾２）＝０．６６３２であるのに対し、第１実施形態の変形例の構成に依れば、光沢評価値ＶＧと主観的光沢度との相関は非常に高く、式（２−２）を用いた場合には寄与率（Ｒ＾２）＝０．８９６５を示している。
【０１３１】
この結果から分かるように、重付け線形和を取ることに限らず、重付け演算結果を参照した所定の演算（たとえば式（２−２）のように比を取る）を行なうことでも、被測定物３が有する色に拘わらず、人間の主観的な光沢度と対応の取れた光沢評価値ＶＧを得ることが可能である。
【０１３２】
なお、重付け線形和を取る式（２）に基づく結果では寄与率（Ｒ＾２）＝０．９３４１となっているのに対して、重付け比を取る式（２−２）に基づく結果では寄与率（Ｒ＾２）＝０．８９６５となっており、重付け線形和を用いた方が、より好ましい結果が得られている。
【０１３３】
一方、被測定物の光沢範囲の影響を低減可能なものとするには、特許文献３，４に記載の計算式により求められる評価値に対して、光沢指標が大きいほど拡散反射光に基づいて求められる明度の影響が小さくなるように、明度に関する補正を拡散反射光側の指標値（明度）に加えることで、被測定物の光沢範囲に拘わらず主観的な光沢度と対応の取れた光沢評価値を算出するとよい。この場合にも、被測定物の色の影響を低減可能なものとするための上記変形例と同様に、四則演算の何れかもしくは任意の組合せ、あるいは任意の次数の関数を利用して、明度に関する補正を拡散反射光側の指標値（明度）に加えるとよい。
【０１３４】
また、光沢度と対応の取れた評価値を求める際には、数式により算出するものに限らず、正反射光強度や拡散反射光強度（その明度と彩度）と評価値とを数表として記憶したルックアップテーブルを利用するものであってもよい。
【０１３５】
また、図６に示した第２実施形態の信号処理部の構成では、彩度Ｃに関する色彩指標値ＣＬ２は不要であり、たとえば色変換部６６および線形変換部７４に代えて、明度Ｌに関する色彩指標値ＣＬ１のみを取得可能な機能部分を設ける構成とすることができる。たとえば、拡散反射光受光部３４に視感度補正フィルタを入れて検知する構成とすれば、分光反射率取得部６４で得られた分光反射率データＳ４を明度Ｌに関する色彩指標ＣＬ１に変換する変換部を分光反射率取得部６４と線形変換部７４との間に設けるとよい。
【０１３６】
また、図１に示した構成では、光源および測定用の受光部を本体先端部に配しかつ支持台６に固定して設け、支持台６上に被測定物３を配して測定する場合について説明したが、これに限らず、たとえば細長い円筒状や角筒状で手に持つことのできる（グリップ性能の良好な）大きさを有するスティック状の本体とし、たとえば髪、肌、繊維、布など任意のものの、表面性状に起因するつやを定量的に測定するものとして構成してもよい。
【０１３７】
また、光沢評価装置１を構成する場合、図３もしくは図６に示した構成要素のうち、光沢評価値取得部７８を備えるものを光沢評価装置１とすることができる。本願発明は、拡散反射光強度から得られる明度や彩度の情報を用いて被測定物の色や光沢範囲の影響を低減可能な光沢に関する評価値を求める点を技術思想とするものであり、この評価値を求めるために使用される基礎データ（たとえば光沢指標値ＧＵや色彩指標値ＣＬ１，ＣＬ２）の取得は別の装置にて行なっても構わないからである。図８に示したパソコンなどのコンピュータを用いた態様はその一例である。
【０１３８】
勿論、光沢評価値取得部７８の他、光源、正反射光受光部、拡散反射光受光部（正反射光受光部と兼用も可）、正反射光基礎情報取得部、および拡散反射光基礎情報取得部、さらには光沢指標算出部や色彩指標値算出部など、図３もしくは図６に示した機能要素の全てを搭載した装置として光沢評価装置１を構築してもよい。
【０１３９】
【発明の効果】
以上のように、本発明に依れば、鏡面光沢度以外で主観的な光沢度に影響を及ぼす拡散反射光強度を測定し、拡散反射光強度から得られる明度や彩度の情報を用いて、被測定物の色や光沢範囲の影響を低減可能な光沢に関する評価値を求めるようにしたので、従来の手法よりも一層、主観的な光沢度と対応の取れた評価値を求めることができるようになった。
【０１４０】
たとえば、拡散反射光強度から得られる彩度の情報を用いて、彩度が大きいほど光沢評価値が大きくなる方向に補正を加えるなど、彩度も参照して光沢評価値を求めることで、従来よりも主観的な光沢度と対応の取れた評価値を求めることができる。
【０１４１】
また、光沢指標値に基づいて拡散反射光から得られる明度の影響が小さくなるようにする修正要素を光沢評価値の取得に取り入れるなど、光沢指標値を参照して拡散反射光から得られる明度の影響を調整することで、従来よりも主観的な光沢度と対応の取れた評価値を求めることができる。
【図面の簡単な説明】
【図１】本発明に係る光沢評価装置の全体構成の概略を示す図である。
【図２】光学部の構成例を説明する図である。
【図３】第１実施形態の信号処理部を説明する図である。
【図４】第１実施形態の構成における、評価値算出処理の手順の一例を示すフローチャートである。
【図５】第１実施形態の構成（重付け線形和）により、所定の被測定物を測定対象として光沢評価値を算出した結果を説明する図である。
【図６】第２実施形態の信号処理部を説明する図である。
【図７】第２実施形態の構成により、所定の被測定物を測定対象として光沢評価値を算出した結果を説明する図である。
【図８】電子計算機を用いて光沢評価装置を構成する場合のハードウェア構成の一例を示した図である。
【図９】第１実施形態の変形例の構成（重付け比）により、所定の被測定物を測定対象として光沢評価値を算出した結果を説明する図である。
【符号の説明】
１…光沢評価装置、３…被測定物、４…光学部、５…光学系制御部、６…支持台、７…支持台駆動部、８…信号処理部、１０…光源部、１２，１４，１６…光源、３０…受光部、３２…正反射光受光部、３４…拡散反射光受光部、３６…反射光受光部、４０…信号処理部、４２…受光信号処理部、４４…評価値算出処理部、５０…正反射光信号処理部、５２…正反射光受光器、５４…分光鏡面反射率取得部、５６…鏡面光沢度変換部（正反射光基礎情報取得部）、６０…拡散反射光信号処理部、６２…拡散反射光受光器、６４…分光反射率取得部、６６…色変換部（拡散反射光基礎情報取得部）、７２…線形変換部（光沢指標算出部）、７４…線形変換部（色彩指標値算出部）、７８…光沢評価値取得部、８０…重付け演算部、８２…加算部（補正部）、８４…修正要素演算部
【図１】
2004317131.tif 000009
【図２】
2004317131.tif 000010
【図３】
2004317131.tif 000011
【図４】
2004317131.tif 000012
【図５】
2004317131.tif 000013
【図６】
2004317131.tif 000014
【図７】
2004317131.tif 000015
【図８】
2004317131.tif 000016
【図９】
2004317131.tif 000017